(57)【要約】      （修正有）【課題】浴槽に取り付け易く、使い勝手の良い入浴補助具を提供する。【解決手段】入浴補助具は、第１の部材と第２の部材とで浴槽１００の内壁１０２を突っ張ることによって浴槽１００に固定されるベース部１０と、ベース部１０の第１の部材側に取り付けられる第１の腰掛け部材２０ａと、ベース部１０の第２の部材側に取り付けられる第２の腰掛け部材２０ｂと、を備える。第１の腰掛け部材２０ａは、第１の部材と共に移動可能に設けられる。【選択図】図１
2016087190.tif 000002
【特許請求の範囲】
【請求項１】
第１の部材と第２の部材とで前記浴槽の内壁を突っ張ることによって前記浴槽に固定されるベース部と、
前記ベース部の前記第１の部材側に取り付けられる第１の腰掛け部材と、
前記ベース部の前記第２の部材側に取り付けられる第２の腰掛け部材と、
を備え、
前記第１の腰掛け部材は、前記第１の部材と共に移動可能に設けられることを特徴とする入浴補助具。
【請求項２】
前記第２の腰掛け部材は、前記第２の部材と共に移動可能に設けられることを特徴とする請求項１に記載の入浴補助具。
【請求項３】
前記ベース部、前記第１の腰掛け部材、及び、前記第２の腰掛け部材は、上から見た場合に、全体として略Ｕ字状に形成されていることを特徴とする請求項１又は２に記載の入浴補助具。
【請求項４】
前記第１の腰掛け部材及び前記第２の腰掛け部材のうち、少なくとも一方は、手すりを取り付け可能に設けられていることを特徴とする請求項１から３のいずれか１項に記載の入浴補助具。
【請求項５】
前記第１の腰掛け部材及び前記第２の腰掛け部材上に載置されるボードを取り付け可能に設けられていることを特徴とする請求項１から４のいずれか１項に記載の入浴補助具。
【請求項６】
前記ボードは、手すりを取り付け可能に設けられていることを特徴とする請求項５に記載の入浴補助具。
【請求項７】
前記ボードは、少なくとも一部を跳ね上げ可能に設けられていることを特徴とする請求項５又は６に記載の入浴補助具。
【発明の詳細な説明】
【技術分野】
【０００１】
本発明は入浴補助具に関し、特に体が不自由な者が使用するのに好適な入浴補助具に関する。
【背景技術】
【０００２】
従来、例えば高齢者や身体障害者等の体が不自由な者が入浴しやすいように、入浴補助具が浴槽に取り付けられることがある。このような入浴補助具として、例えば、特許文献１に開示されるような浴槽用手すりや、特許文献２に開示されるようなバスボードが挙げられる。
【０００３】
浴槽用手すりの中には、例えば特許文献１に開示されるように、浴槽の縁に挟み込み方式で取り付けられるものがある。入浴者は、浴槽内に入ったり、浴槽外へ出たりする際に、身体を支えるために浴槽の縁に取り付けられた手すりを利用する。バスボードは、特許文献２に開示されるように、通常、略矩形状に設けられ、浴槽の互いに対向する縁部間を架け渡すように配置される。バスボードには、通常、手すりが取り付けられている。入浴者は、バスボードに腰をおろし、手すりを利用しながら浴槽内に入る。
【０００４】
その他、従来においては、体が不自由な者が入浴しやすいように、浴室の壁に手すりが取り付けられることがある。
【先行技術文献】
【特許文献】
【０００５】
【特許文献１】特開２００５−２２４３９４号公報
【特許文献２】特開２００２−３３１０１６号公報
【発明の概要】
【発明が解決しようとする課題】
【０００６】
浴室の壁に手すりを取り付ける場合、浴室の壁に穴を開ける必要が生じることが多い。このために、例えば賃貸住宅に住む者は、浴室の壁に手すりを取り付けることを躊躇うことがある。また、浴槽に取り付けるタイプの手すりは、浴室の壁に面する側には取り付け難く、使用状態に制約が生じることがある。
【０００７】
また、従来においては、浴槽用手すりやバスボードは、それぞれ独立した商品として売られ、両者には何の関係性もないのが普通である。このために、補助具を利用する者は、その身体レベルの変化に応じて、手すりやバスボードを別々に購入する必要がある。
【０００８】
以上の点に鑑みて、本発明の目的は、浴槽に取り付け易く、使い勝手の良い入浴補助具を提供することである。また、本発明の他の目的は、使用者の身体レベルに応じて使用形態を変更し易い入浴補助具を提供することである。
【課題を解決するための手段】
【０００９】
上記目的を達成するために本発明の入浴補助具は、第１の部材と第２の部材とで前記浴槽の内壁を突っ張ることによって前記浴槽に固定されるベース部と、前記ベース部の前記第１の部材側に取り付けられる第１の腰掛け部材と、前記ベース部の前記第２の部材側に取り付けられる第２の腰掛け部材と、を備え、前記第１の腰掛け部材は、前記第１の部材と共に移動可能に設けられる構成（第１の構成）になっている。
【００１０】
本構成の入浴補助具は、第１の部材と第２の部材とで浴槽の内壁を突っ張ることによって、簡単に浴槽に取り付けられる。このために、入浴補助具の取り付けにあたって、浴室に特別の工事を施す必要がない。また、本構成の入浴補助具は、腰掛け部材を備えるために、浴槽の縁を跨ぐ際に不安が出てきた入浴者にとって使い勝手が良い。更に、２つの腰掛け部材を備えるために、本構成の入浴補助具の機能は、浴槽と、浴槽に面する浴室の壁との位置関係に左右され難い。
【００１１】
上記第１の構成の入浴補助具において、前記第２の腰掛け部材は、前記第２の部材と共に移動可能に設けられる構成（第２の構成）であってよい。本構成によれば、入浴補助具を浴槽に固定する際の作業負担を軽減可能である。
【００１２】
上記第１又は第２の構成の入浴補助具において、前記ベース部、前記第１の腰掛け部材、及び、前記第２の腰掛け部材は、上から見た場合に、全体として略Ｕ字状に形成されている構成（第３の構成）が好ましい。本構成によれば、浴槽の端部に入浴補助具を載置して、浴槽の角部における腰掛けスペースを拡張可能である。
【００１３】
上記第１から第３のいずれかの構成の入浴補助具において、前記第１の腰掛け部材及び前記第２の腰掛け部材のうち、少なくとも一方は、手すりを取り付け可能に設けられている（第４の構成）のが好ましい。本構成によれば、入浴者が入浴動作に不安を感じるようになった場合に、腰掛け部材に手すりを追加するといったことができるために、使い勝手が良い。
【００１４】
上記第１から第４のいずれかの構成の入浴補助具は、前記第１の腰掛け部材及び前記第２の腰掛け部材上に載置されるボードを取り付け可能に設けられている（第５の構成）のが好ましい。本構成によれば、入浴者が入浴動作に不安を感じるようになった場合に、腰掛け部材上にボードを載置して腰掛けスペースを拡大するといったことができるために、使い勝手が良い。
【００１５】
上記第５の構成の入浴補助具において、前記ボードは、手すりを取り付け可能に設けられている（第６の構成）のが好ましい。本構成によれば、ボードに手すりを追加できるので、使い勝手が良い。
【００１６】
上記第５又は第６の構成の入浴補助具において、前記ボードは、少なくとも一部を跳ね上げ可能に設けられている（第７の構成）のが好ましい。本構成によれば、浴槽の湯に浸かった入浴者がボードを邪魔に感じないようにできるために便利である。
【発明の効果】
【００１７】
本発明によれば、浴槽に取り付け易く、使い勝手の良い入浴補助具を提供できる。また、本発明によれば、使用者の身体レベルに応じて使用形態を変更し易い入浴補助具を提供できる。
【図面の簡単な説明】
【００１８】
【図１】本発明の実施形態に係る入浴補助具の構成を示す概略斜視図
【図２】本発明の実施形態に係る入浴補助具が備えるベース部を上から見た場合の概略平面図
【図３】本発明の実施形態に係る入浴補助具が備えるベース部を側面から見た場合の概略平面図
【図４】本発明の実施形態に係る入浴補助具に手すりが取り付けられた状態を示す概略斜視図
【図５】本発明の実施形態に係る入浴補助具における手すりの取付構造を説明するための概略斜視図
【図６】本発明の実施形態に係る入浴補助具にボードが取り付けられた状態を示す概略斜視図
【図７】本発明の実施形態に係る入浴補助具におけるボードの取付構造を説明するための概略背面図で、取り付け前の状態を示す図
【図８】本発明の実施形態に係る入浴補助具におけるボードの取付構造を説明するための概略背面図で、取り付け後の状態を示す図
【図９】本発明の実施形態に係る入浴補助具が備えるボードの構成について説明するための概略側面図
【発明を実施するための形態】
【００１９】
以下、本発明の実施形態に係る入浴補助具について、図面を参照しながら詳細に説明する。
【００２０】
図１は、本発明の実施形態に係る入浴補助具１の構成を示す概略斜視図である。なお、図１においては、理解を容易とするために、入浴補助具１が取り付けられる浴槽１００も併せて示されている。図１に示すように、入浴補助具１は、ベース部１０と、ベース部１０に被せられる一対のカバー部材２０ａ、２０ｂと、を備えている。ベース部１０と、一対のカバー部材２０ａ、２０ｂとは、上面視した場合、全体として略Ｕ字状に設けられている。このために、図１に示すように、入浴補助具１は、浴槽１００の長手方向の端部において、縁上面１０１に沿って載置することが可能になっている。
【００２１】
図２は、本発明の実施形態に係る入浴補助具１が備えるベース部１０を上から見た場合の概略平面図である。図３は、本発明の実施形態に係る入浴補助具１が備えるベース部１０を側面から見た場合の概略平面図である。なお、図２及び図３においては、理解を容易とするために、入浴補助具１が取り付けられる浴槽１００も併せて示されている。
【００２２】
図２及び図３に示すように、ベース部１０は、中央部にノブ１１が取り付けられた調整パイプ１２と、調整パイプ１２に平行に配置されるガイドパイプ１３と、を備えている。調整パイプ１２及びガイドパイプ１３は、特に限定されるものではないが、例えば金属を用いて形成できる。なお、調整パイプ１２とガイドパイプ１３とは、図１に示すように、ノブ１１を除いてカバー（カバー部材２０ａ、２０ｂとは別のカバー）によって覆われる。
【００２３】
また、ベース部１０は、調整パイプ１２及びガイドパイプ１３を挟んで対称配置される、一対の突っ張りブロック１４ａ、１４ｂを備えている。突っ張りブロック１４ａ、１４ｂは、特に限定されるものではないが、例えば樹脂を用いて形成できる。互いに対称配置される一対の突っ張りブロック１４ａ、１４ｂは、いずれも、略鉤型の本体部１４１を備えている。
【００２４】
本体部１４１の下面には、下方に向けて突出する平面視略矩形状の押付プレート１４２が設けられている。また、本体部１４１の一端面には、互いに平行配置される２つの突出バー１４３、１４４が設けられている。略円柱状に設けられる２つの突出バー１４３、１４４は、いずれも、調整パイプ１２及びガイドパイプ１３が設けられる方向に突出している。第１の突出バー１４３は、第２の突出バー１４４に比べて長く設けられている。
【００２５】
また、ベース部１０は、調整パイプ１２及びガイドパイプ１３を挟んで対称配置される、一対の中間ブロック１５ａ、１５ｂを備えている。第１の中間ブロック１５ａは、第１の突っ張りブロック１４ａの本体部１４１と、調整パイプ１２及びガイドパイプ１３との間に配置されている。第２の中間ブロック１５ｂは、第２の突っ張りブロック１４ｂの本体部１４１と、調整パイプ１２及びガイドパイプ１３との間に配置されている。なお、一対の中間ブロック１５ａ、１５ｂは、特に限定されるものではないが、例えば樹脂を用いて形成できる。
【００２６】
互いに対称配置される一対の中間ブロック１５ａ、１５ｂは、いずれも、直方体形状の本体部１５１を備えている。本体部１５１の、調整パイプ１２及びガイドパイプ１３と対向する一の側面からは、表面にネジ山が形成されたネジ付バー１５２が突出している。本体部１５１の、ネジ付バー１５２が設けられる側面と対向する側面には、一対の円筒バー１５３ａ、１５３ｂが形成されている。
【００２７】
図２及び図３に示すように、調整パイプ１２の一端側には、第１の中間ブロック１５ａのネジ付バー１５２が挿入されている。調整パイプ１２の一端には、第１のナット１２１が固着されており、第１の中間ブロック１５ａのネジ付バー１５２と第１のナット１２１とは螺合している。同様に、調整パイプ１２の他端側には、第２の中間ブロック１５ｂのネジ付バー１５２が挿入されている。調整パイプ１２の他端には、第２のナット１２２が固着されており、第２の中間ブロック１５ｂのネジ付バー１５２と第２のナット１２２とは螺合している。
【００２８】
なお、第１のナット１２１と螺合するネジ付バー１５２と、第２のナット１２２と螺合するネジ付バー１５２とは、ネジの向きが逆になっている。このために、調整パイプ１２を回転させた場合、第１の中間ブロック１５ａと第２の中間ブロック１５ｂとは逆向きに移動する。
【００２９】
図２及び図３に示すように、ガイドパイプ１３の一端側には、第１の突っ張りブロック１４ａに設けられる第１の突出バー１４３の先端側が挿通されている。なお、当該第１の突出バー１４３は、第１の中間ブロック１５ａの第１の円筒バー１５３ａ及び本体部１５１を貫通している。また、ガイドパイプ１３の他端側には、第２の突っ張りブロック１４ｂに設けられる第１の突出バー１４３の先端側が挿通されている。なお、当該第１の突出バー１４３は、第２の中間ブロック１５ｂの第１の円筒バー１５３ａ及び本体部１５１を貫通している。
【００３０】
また、第１の突っ張りブロック１４ａに設けられる第２の突出バー１４４は、第１の中間ブロック１５ａに設けられる第２の円筒バー１５３ｂに挿通されている。また、第２の突っ張りブロック１４ｂに設けられる第２の突出バー１４４は、第２の中間ブロック１５ｂに設けられる第２の円筒バー１５３ｂに挿通されている。
【００３１】
第１の突っ張りブロック１４ａの本体部１４１と、第１の中間ブロック１５ａの円筒バー１５３ａ、１５３ｂとの間、及び、第２の突っ張りブロック１４ｂの本体部１４１と、第２の中間ブロック１５ｂの円筒バー１５３ａ、１５３ｂとの間には、それぞれ、コイルバネ１６が配置されている。コイルバネ１６は、２つの突っ張りブロック１４ａ、１４ｂの各第１の突出バー１４３及び各第２の突出バー１４４に遊嵌されている。すなわち、本実施形態の入浴補助具１には、４つのコイルバネ１６が備えられている。
【００３２】
第１のカバー部材２０ａは、第１の突っ張りブロック１４ａに固定されて、第１の突っ張りブロック１４ａ及び第１の中間ブロック１５ａを覆う。第２のカバー部材２０ｂは、第２の突っ張りブロック１４ｂに固定されて、第２の突っ張りブロック１４ｂ及び第２の中間ブロック１５ｂを覆う。一対のカバー部材２０ａ、２０ｂは、特に限定されるものではないが、例えば樹脂を用いて形成できる。
【００３３】
次に、以上のように構成される入浴補助具１の動作について説明する。まず、入浴補助具１のベース部１０が、例えば図１に示すように、浴槽１００の長手方向の一端部側の縁上面１０１に載置される。次に、一対の中間ブロック１５ａ、１５ｂが互いに離れる（浴槽１００の外側に向かう）ように、ノブ１１を利用して調整パイプ１２が回される。これにより、一対の中間ブロック１５ａ、１５ｂが、それぞれ、突出バー１４３、１４４にガイドされながら移動を開示する。
【００３４】
一対の中間ブロック１５ａ、１５が移動を開始すると、コイルバネ１６を介して各中間ブロック１５ａ、１５ｂに連結される一対の突っ張りブロック１４ａ、１４ｂも、互いに離れる方向（浴槽１００の外側に向かう方向）に移動を開始する。一対の突っ張りブロック１４ａ、１４ｂの移動によって、一対の突っ張りブロック１４ａ、１４ｂに取り付けられる一対のカバー部材２０ａ、２０ｂも移動する。
【００３５】
調整パイプ１２の回転を続けると、一対の突っ張りブロック１４ａ、１４ｂに設けられる各押付プレート１４２が浴槽１００の内壁１０２に当接する（図１参照）。押付プレート１４２が浴槽１００の内壁１４２に当接すると、一対の突っ張りブロック１４ａ、１４ｂ（一対のカバー部材２０ａ、２０ｂも）の移動は止まる。この状態で、更に調整パイプ１２の回転を続けると、各中間ブロック１５ａ、１５ｂは、コイルバネ１６を圧縮しながら、更に浴槽１００の外側に向けて移動する。
【００３６】
このコイルバネ１６の圧縮量を調整することによって、押付プレート１４２が浴槽１００の内壁１０２を押圧する力を調整できる。換言すると、コイルバネ１６の圧縮量の調整により、互いに対向配置される一対の突っ張りブロック１４ａ、１４ｂで浴槽１００の内壁１０２を突っ張る力（固定する力）を調整できる。なお、第１の突っ張りブロック１４ａは本発明の第１の部材の一例であり、第２の突っ張りブロック１４ｂは本発明の第２の部材の一例である。
【００３７】
入浴補助具１は、以上のようにして突っ張り力によって浴槽１００に固定されるが、当該固定された状態において、一対のカバー部材２０ａ、２０ｂは、図１に示すように、浴槽１００の角部に位置する。そして、略への字形状のカバー部材２０ａ、２０ｂは、それぞれ、浴槽１００の角部において、入浴者が腰を掛けるスペースを拡張する役割を果たす。換言すると、一対のカバー部材２０ａ、２０ｂは、腰掛け部材と言える。なお、第１のカバー部材２０ａは本発明の第１の腰掛け部材の一例であり、第２のカバー部材２０ｂは本発明の第２の腰掛け部材の一例である。
【００３８】
なお、カバー部材２０ａ、２０ｂは、浴槽１００の縁上面１０１に載置した場合に内側となる部分が丸みを帯びた形状になっている。このために、入浴者は、怪我を心配することなく安心してカバー部材２０ａ、２０ｂに座ることができる。また、ベース部１０と、一対のカバー部材２０ａ、２０ｂとで構成される入浴補助具１は、上面視略Ｕ字状に設けられているために、浴槽１００に入浴補助具１を取り付けても浴槽１００が狭くなることを抑制できる。このために、入浴補助具１は、従来の入浴補助具と比べて、入浴時の快適性を向上できる。
【００３９】
一対のカバー部材２０ａ、２０ｂのそれぞれには、図１に示すように、手すりを取り付けることができる手すり取付部２１が複数設けられている。本実施形態では、各カバー部材２０ａ、２０ｂに、それぞれ２つずつ、手すり取付部２１が形成されている。ただし、これは一例にすぎず、手すり取付部２１の数及び形成位置については適宜変更して構わない。また、手すり取付部２１は、一対のカバー部材２０ａ、２０ｂのうち、いずれか一方にのみ設けられる構成にしてもよい。
【００４０】
図４は、本発明の実施形態に係る入浴補助具１に手すり３０が取り付けられた状態を示す概略斜視図である。なお、図４においては、理解を容易とするために、入浴補助具１が取り付けられる浴槽１００も併せて示されている。図４は、手すり取付部２１への手すり３０の取り付け例を示すものにすぎず、いずれの位置に手すりを取り付けるかは、入浴者の好みや必要性に応じて適宜決定すればよい。カバー部材２０ａ、２０ｂに手すり３０を取り付けることによって入浴者は、手すり３０に掴まりながら浴槽１００に安全に出入り可能になる。
【００４１】
図５は、本発明の実施形態に係る入浴補助具１における手すり３０の取付構造を説明するための概略斜視図である。なお、２つのカバー部材２０ａ、２０ｂにおける手すり３０の取付構造は同じである。ここでは、カバー部材２０ｂに手すり３０が取り付けられる場合を例に説明を行う。
【００４２】
図５に示すように、手すり取付部２１は、カバー部材２０ｂの上面に凹部２１１を設けて構成される。凹部２１１の底面には、ボルト５０を取り付けるために必要となる複数の穴２１２が形成されている。手すり３０を取り付けない場合には、図１や図４に示すように、手すり取付部２１の凹部２１１には、キャップ２２が被せられている。キャップ２２が被せられることによって、カバー部材２０ｂの上面と、手すり取付部２１の上面とは、ほぼ面一になる。
【００４３】
手すり３０は、固定金具２３を介してカバー部材２０ｂに固定される。まず、ボルト５０を用いて固定金具２３と手すり３０とを固定する。この後、固定金具２３の凹んだ部分２３１を凹部２１１に嵌め込んで、ボルト５０によって固定金具２３をカバー部材２０ｂに固定する。これにより、手すり３０がカバー部材２０ｂに固定される。固定金具２３の凹んだ部分２３１には、キャップ２２が取り付けられるようになっており、ボルト５０を隠すことができる。
【００４４】
図６は、本発明の実施形態に係る入浴補助具１にボード４０が取り付けられた状態を示す概略斜視図である。なお、図６においては、理解を容易とするために、入浴補助具１が取り付けられる浴槽１００も併せて示されている。図６に示すように、カバー部材２０ａ、２０ｂ上にボード４０を載置することによって、入浴者が腰を掛けるスペースを更に広げられ、より安全に浴槽１００に出入りできるようになる。なお、ボード４０は、特に限定されるものではないが、例えば、カバー部材２０ａ、２０ｂと同一の素材で形成できる。
【００４５】
なお、図６に示すように、ボード４０は、カバー部材２０ａ、２０ｂと同様に、手すり３０が取り付けられるように構成するのが好ましい。手すり３０の取付構造は、特に限定されるものではないが、カバー部材２０ａ、２０ｂと同様の構成になっている。このため、必要なければ、ボード４０の手すり３０は取り外されても構わない。
【００４６】
図７及び図８は、本発明の実施形態に係る入浴補助具１におけるボード４０の取付構造を説明するための概略背面図で、図７は取り付け前の状態を示し、図８は取り付け後の状態を示す。なお、図７及び図８には、理解を容易とするために、入浴補助具１が取り付けられる浴槽１００も併せて示されている。
【００４７】
図７及び図８に示すように、ボード４０の背面側の下面には、Ｌ字金具４１の一面が取り付けられている。Ｌ字金具４１の他の面には、長穴４１１が形成されている。また、一対のカバー部材２０ａ、２０ｂの背面には、それぞれ、ボルトを取り付けるための取付穴２０１が形成されている。各カバー部材２０ａ、２０ｂに設けられる取付穴２０１の数は、１つでも複数でもよい。
【００４８】
ボード４０をカバー部材２０ａ、２０ｂの上に載せると、Ｌ字金具４１の長穴４１１と、カバー部材２０ａ、２０ｂの背面に設けた取付穴２０１とが重なる。Ｌ字金具４１の外側からボルトを取付穴２０１に差し込んで留めることによって、ボード４０をカバー部材２０ａ、２０ｂに固定できる。なお、一対のカバー部材２０ａ、２０ｂ間の間隔は、入浴補助具１を取り付ける浴槽１００のサイズや形状によって変わるが、Ｌ字金具４１に設ける穴を長穴にしているので、浴槽１００の違いによって、ボード４０が固定できないといった事態を避けられる。
【００４９】
図９は、本発明の実施形態に係る入浴補助具１が備えるボード４０の構成について説明するための概略側面図である。図９に示すように、ボード４０には、ヒンジ部４１が設けられており、ボード４０は、その一部が背面側に跳ね上げられる構造になっている。ヒンジ部４１は、例えばヒンジ金具を用いて構成してもよいが、本実施形態では、ボード４０の前側４０１と後側４０２（手すり３０が取付られている側）とを薄肉の連結部で連結する構成としている。ボード４０を跳ね上げることによって、浴槽１００の湯に浸かった入浴者がボード４０を邪魔と感じないようにできるので便利である。
【００５０】
以上からわかるように、本実施形態の入浴補助具１は、入浴者の身体レベルに応じて使用状態を簡単に変更できる。例えば、入浴者が浴槽１００の縁を跨ぐことに不安を感じる程度の場合には、カバー部材２０ａ、２０ｂを腰掛け部材として利用する程度に留める。また、カバー部材２０ａ、２０ｂを腰掛け部材として利用するだけでは、入浴者が不安定になる場合等には、適宜、手すり３０を足したり、更には、ボード４０を取り付けたりすることもできる。ボード４０は、カバー部材２０ａ、２０ｂに比べて入浴者が腰をかける部分が増大する。このために、より重度の疾患を有する入浴者（身体レベルの低い入浴者）の使用に適している。
【００５１】
本実施形態の入浴補助具１は、突っ張り力を利用して浴槽１００に簡単に取り付けられ、その上、簡単に手すり３０も取り付けられる。このために、浴室に特別の工事を行わなくても、高齢者等を安全に入浴させることができるので便利である。
【００５２】
以上に示した実施形態は、本発明の例示にすぎない。以上に示した実施形態の構成は、本発明の技術的思想を超えない範囲で適宜変更されて構わない。
【００５３】
例えば、以上に示した入浴補助具１を構成する部材の形状やサイズ等は例示にすぎず、適宜変更して構わない。また、入浴補助具１を突っ張って浴槽１００に固定する構造も一例にすぎず、当該構造は適宜変更されて構わない。
【００５４】
また、以上に示した実施形態においては、手すり３０が取り付けられていないカバー部材２０ａ、２０ｂの上に、ボード４０が載置される構成とした。これに限定されず、ボード４０に貫通穴を形成し、手すり３０が取り付けられたカバー部材２０ａ、２０ｂ上に、ボード４０が取り付けられるように構成しても構わない。前述の貫通穴は、キャップで塞がれるように構成してよい。
【００５５】
また、以上に示した実施形態においては、第１のカバー部材２０ａと第２のカバー部材２０ｂとがいずれも移動可能である構成とした。しかし、この構成は一例にすぎない。第１のカバー部材２０ａと第２のカバー部材２０ｂとのうち、いずれか一方だけが移動可能である構成としてもよい。この場合、例えば、上述の２つの中間ブロック１５ａ、１５ｂのうち、いずれか一方だけが入浴補助具に備えられる構造となるように適宜改良すればよい。
【符号の説明】
【００５６】
１  入浴補助具
１０  ベース部
１４ａ  第１の突っ張りブロック（第１の部材）
１４ｂ  第２の突っ張りブロック（第２の部材）
２０ａ  第１のカバー部材（第１の腰掛け部材）
２０ｂ  第２のカバー部材（第２の腰掛け部材）
３０  手すり
４０  ボード
１００  浴槽
１０１  浴槽の縁上面
１０２  浴槽の内壁
【図１】
2016087190.tif 000003
【図２】
2016087190.tif 000004
【図３】
2016087190.tif 000005
【図４】
2016087190.tif 000006
【図５】
2016087190.tif 000007
【図６】
2016087190.tif 000008
【図７】
2016087190.tif 000009
【図８】
2016087190.tif 000010
【図９】
2016087190.tif 000011